【手続補正書】
【提出日】平成29年11月20日(2017.11.20)
【手続補正１】
【補正対象書類名】特許請求の範囲
【補正対象項目名】全文
【補正方法】変更
【補正の内容】
【特許請求の範囲】
【請求項１】
複数の樹脂層からなる化粧シートにおいて、
前記樹脂層の少なくとも一層を、超臨界逆相蒸発法により単層膜の外膜を具備するベシクルに抗菌剤を内包させた抗菌剤ベシクルを添加して形成することを特徴とする化粧シート。
【請求項２】
前記樹脂層のうち、最表層に位置するトップコート層と、前記トップコート層の下層に設けられた透明樹脂層との少なくとも一方を、前記抗菌剤ベシクルを添加して形成していることを特徴とする請求項１に記載の化粧シート。
【請求項３】
前記抗菌剤が、無機化合物の担体に金属または金属イオンを担持させた無機系抗菌剤であることを特徴とする請求項１または請求項２に記載の化粧シート。
【請求項４】
前記無機化合物の担体が、ゼオライトであることを特徴とする請求項３に記載の化粧シート。
【請求項５】
前記透明樹脂層にはエンボス模様が形成されており、
前記トップコート層が少なくとも前記エンボス模様の凹部に埋め込まれて設けられていることを特徴とする請求項２乃至請求項４のいずれか１項に記載の化粧シート。
【請求項６】
複数の樹脂層からなる化粧シートの製造方法であって、
前記樹脂層の少なくとも一層に対して、超臨界逆相蒸発法により単層膜の外膜を具備するベシクルに抗菌剤を内包した抗菌剤ベシクルを添加することを特徴とする化粧シートの製造方法。
【手続補正２】
【補正対象書類名】明細書
【補正対象項目名】発明の名称
【補正方法】変更
【補正の内容】
【発明の名称】化粧シートおよび化粧シートの製造方法
【手続補正３】
【補正対象書類名】明細書
【補正対象項目名】０００１
【補正方法】変更
【補正の内容】
【０００１】
本発明は、建築内装材、玄関ドアなどの建築外装部材、建具の表面、家電品の表面材等に用いられる化粧シートに関するもので、優れた抗菌性を備えた化粧シートおよび化粧シートの製造方法に関する。
【手続補正４】
【補正対象書類名】明細書
【補正対象項目名】０００９
【補正方法】変更
【補正の内容】
【０００９】
本発明においては、超臨界逆相蒸発法を用いて分散性を向上させた抗菌剤を添加して、意匠性および耐後加工性に優れた抗菌性能を備える化粧シートおよび化粧シートの製造方法を提供することを目的とする。
【手続補正５】
【補正対象書類名】明細書
【補正対象項目名】００１０
【補正方法】変更
【補正の内容】
【００１０】
上記課題を達成するべく、本発明の第１の態様の化粧シートは、複数の樹脂層からなる化粧シートにおいて、前記樹脂層の少なくとも一層を、超臨界逆相蒸発法により単層膜の外膜を具備するベシクルに抗菌剤を内包させた抗菌剤ベシクルを添加して形成することを特徴とする。
【手続補正６】
【補正対象書類名】明細書
【補正対象項目名】００１２
【補正方法】変更
【補正の内容】
【００１２】
本発明の第２の態様の化粧シートは、前記樹脂層のうち、最表層に位置するトップコート層と、前記トップコート層の下層に設けられた透明樹脂層との少なくとも一方を、前記抗菌剤ベシクルを添加して形成していることを特徴とする。
【手続補正７】
【補正対象書類名】明細書
【補正対象項目名】００１８
【補正方法】変更
【補正の内容】
【００１８】
本発明の第５の態様の化粧シートは、前記透明樹脂層にはエンボス模様が形成されており、前記トップコート層が少なくとも前記エンボス模様の凹部に埋め込まれて設けられていることを特徴とする。このような、本発明の第５の態様の化粧シートによれば、実使用において水や汚れが堆積しやすいエンボス模様の凹部にトップコート層を埋め込んで設けることで、凹部に汚れが堆積せずに優れた意匠性を保持することができるとともに、堆積した水や汚れから繁殖しうる細菌類の発生を抑制して抗菌性能においても優れた化粧シートを提供することができる。
【手続補正８】
【補正対象書類名】明細書
【補正対象項目名】００１９
【補正方法】変更
【補正の内容】
【００１９】
本発明の化粧シートの製造方法は、複数の樹脂層からなる化粧シートの製造方法であって、前記樹脂層の少なくとも一層に対して、超臨界逆相蒸発法により単層膜の外膜を具備するベシクルに抗菌剤を内包した抗菌剤ベシクルを添加することを特徴とする。
【手続補正９】
【補正対象書類名】明細書
【補正対象項目名】００２２
【補正方法】変更
【補正の内容】
【００２２】
本発明の化粧シートは、複数の樹脂層からなり、当該樹脂層の少なくとも一層を、超臨界逆相蒸発法により単層膜の外膜を具備するベシクルに抗菌剤を内包させた抗菌剤ベシクルを添加して形成しているものである。特に、当該樹脂層のうち、化粧シートの最表層に位置するトップコート層と、トップコート層の下層に設けられた透明樹脂層との少なくとも一方を、抗菌剤ベシクルを添加して形成することが好適である。
【手続補正１０】
【補正対象書類名】明細書
【補正対象項目名】００２５
【補正方法】変更
【補正の内容】
【００２５】
抗菌剤ベシクルは、本発明においては超臨界逆相蒸発法を用いて調製されている。超臨界逆相蒸発法とは、超臨界状態または臨界点以上の温度条件下もしくは圧力条件下の二酸化炭素にベシクルの外膜を構成する物質を均一に溶解させた混合物中に、封入物質としての抗菌剤を含む水相を加えて、一層の膜（単層膜）で封入物質としての抗菌剤を包含したカプセル状のベシクルを形成する方法である。なお、超臨界状態の二酸化炭素とは、臨界温度（３０．９８℃）および臨界圧力（７．３７７３±０．００３０ＭＰａ）以上の超臨界状態にある二酸化炭素を意味し、臨界点以上の温度条件下もしくは圧力条件下の二酸化炭素とは、臨界温度だけ、あるいは臨界圧力だけが臨界条件を超えた二酸化炭素を意味するものである。この方法により、直径５０〜８００ｎｍの単層ラメラベシクルを得ることができる。このような抗菌剤ベシクルは、ベシクル同士の外膜が離れようとする作用によって凝集が起こることがなく、樹脂材料への高い分散性を実現している。また、抗菌剤ベシクルは、樹脂材料内において、外膜が崩壊して抗菌剤が露出した状態とされている。
【手続補正１１】
【補正対象書類名】明細書
【補正対象項目名】００３０
【補正方法】変更
【補正の内容】
【００３０】
以下に、本発明の化粧シートの具体的な構成およびその製造方法を図１を用いて説明する。
【手続補正１２】
【補正対象書類名】明細書
【補正対象項目名】００４４
【補正方法】変更
【補正の内容】
【００４４】
特に、高い透明性が要求される透明樹脂層７およびトップコート層８においては、分散性に優れた抗菌剤ベシクルとして添加することにより、樹脂組成物中において抗菌剤ベシクルが凝集せずに均一に分散するので、添加量を増大しても高い透明性を維持することができる。
【手続補正１３】
【補正対象書類名】明細書
【補正対象項目名】００４６
【補正方法】変更
【補正の内容】
【００４６】
以下に、本発明の化粧シート１および化粧シート１の製造方法の具体的な実施例について説明する。
【手続補正１４】
【補正対象書類名】明細書
【補正対象項目名】００６４
【補正方法】変更
【補正の内容】
【００６４】
各評価試験を実施した結果、表１に示すように、抗菌剤ベシクルを添加した実施例１〜４の化粧シート１においては、大腸菌及び黄色ブドウ球菌に対して優れた抗菌性を有し、さらには優れた意匠性を備えていた。
【手続補正１５】
【補正対象書類名】明細書
【補正対象項目名】００６７
【補正方法】変更
【補正の内容】
【００６７】
以上の結果から、原反層４、透明樹脂層７およびトップコート層８の少なくとも一層を、抗菌剤ベシクルを添加して形成することにより優れた抗菌性を得られることが明らかとなった。また、トップコート層８の下層に位置する透明樹脂層７もしくは原反層４を、抗菌剤ベシクルを添加して形成することにより、化粧シート１の表面における抗菌性能を向上させることが可能であることが明らかとなった。さらには、抗菌剤を抗菌剤ベシクルとして添加することにより、主成分である樹脂材料の高い透明性を維持し、優れた意匠性を有する化粧シート１とすることが可能であることが明らかとなった。
【手続補正１６】
【補正対象書類名】明細書
【補正対象項目名】００６８
【補正方法】変更
【補正の内容】
【００６８】
本発明の化粧シート１および化粧シート１の製造方法は、上記の実施形態および実施例に限定されるものではなく、発明の特徴を損なわない範囲において種々の変更が可能である。